(57)【要約】    【課題】この発明は、洗浄ホースの引き出し及び収納が一層簡単な洗浄ホース収納装置を提供する。      【解決手段】この発明の洗浄ホース収納装置は、リール枠４の中心部に形成された円筒部４ａに洗浄ホース１０を巻回収納する洗浄ホース巻回手段５と、回転軸６を中心にリール枠４全体を回動させ回動手段７と、リール枠４から引き出された洗浄ホース１０を巻き取る方向へ回転させる回転付勢手段３５と、洗浄ホース１０をリール枠４から引き出し及び引き戻し自在に支承するガイド孔１１からなる洗浄ホースガイド手段１２を具えている。    【選択図】  図１
2007137564.tif 000002
【特許請求の範囲】
【請求項１】
軸を中心に回動自在に支承されたリール枠からなり、該リール枠の中心部に形成された円筒部に洗浄ホースを巻回収納する洗浄ホース巻回手段と、
前記リール枠を支承する前記軸に対し直交するように配設された回転軸を有し、該回転軸を中心に前記リール枠全体を回動させ前記洗浄ホースを回転させる回動手段と、
前記リール枠内に配設され、該リール枠から引き出された前記洗浄ホースを当該リール枠内に巻き取る方向へ回転させる回転付勢手段と、
前記リール枠に巻回された前記洗浄ホースを嵌挿し、該洗浄ホースを前記リール枠から引き出し及び引き戻し自在に支承するガイド孔からなる洗浄ホースガイド手段と
を少なくとも具えたことを特徴とする洗浄ホース収納装置。
【請求項２】
前記リール枠の円筒部の両側には同一径の一対の円盤状の止め板が固着され、該一対の円盤状の止め板の外周縁は、前記円筒部の中央部側へ向け折れ曲がっていることを特徴とする請求項１に記載の洗浄ホース収納装置。
【請求項３】
前記リール枠の円筒部の両側には同一径の一対の円盤状の止め板が固着され、該一対の円盤状の止め板の外周縁は、前記円筒部の外側へ向け折れ曲がっていることを特徴とする請求項１に記載の洗浄ホース収納装置。
【請求項４】
前記洗浄ホースの先端にはノズルが固着され、該ノズルの周面には所定のピッチで噴射孔が穿設され、さら前記ノズルの先端に自在ガイドが連結されていることを特徴とする請求項１に記載の洗浄ホース収納装置。
【請求項５】
前記回動手段は、先端に前記軸が支承され後端に前記軸と直交するように配設された前記回動軸が支承された断面Ｌ字形状のアームと、前記回転軸に固着された従動ギャと、該従動ギャに歯合する駆動ギャと、該駆動ギャを回転駆動する駆動モータとからなることを特徴とする請求項１に記載の洗浄ホース収納装置。
【請求項６】
前記回転付勢手段はゼンマイバネからなることを特徴とする請求項１に記載の洗浄ホース収納装置。    
【発明の詳細な説明】
【技術分野】
【０００１】
この発明は、マンション、ビル等に配設された排水管等の配管設備を洗浄する排水管洗浄装置に関し、特に排水管洗浄装置に使用される洗浄ホースの駆動操作と、その収納を図る洗浄ホース収納装置に関する。
【背景技術】
【０００２】
従来からビル等の構造物内に配設された排水管等の配管設備を洗浄するため、先端に高圧水を噴射する噴射孔が形成されたノズルを有し、比較的剛体で湾曲しにくい例えばステンレスホースからなる高圧ホース（洗浄ホース）を使用し、これを排水管内に挿入して前記ノズルの噴射孔から噴射される高圧水により排水管内を洗浄するようにした排水管洗浄装置が提供されている。例えば本願出願人が先に提出た特許公開２００１−１７０５９１号に記載された排水管洗浄装置参照。
【０００３】
このような、排水管洗浄装置では、洗浄ホースの不使用時に当該洗浄ホースをコンパクトに収納するとともに、使用時には排水管内にスムーズにくくり出し、また排水管の洗浄時に当該排水管内で洗浄ホースを旋回、即ち回転駆動させるための洗浄ホース収納装置が使用されている。
【０００４】
この従来の洗浄ホース収納装置としては、本願出願人が先に提出した特許公開２００１−１８０８７３号に記載したものが知られている。
【０００５】
この特許公開２００１−１８０８７３号に記載した従来の洗浄ホース収納装置は、洗浄ホースを略円筒形の回転ハウジングの内周面に密着させて巻回し、洗浄ホースの使用時に、当該洗浄ホースを回転ハウジング中心部と対向する位置に形成された括り出し孔から引き出し、また不使用時には、該括り出し孔内に引き戻して前記回転ハウジングの内周面に密着巻回させて収納させるようにしたものである。
【特許文献１】特許公開２００１−１７０５９１号
【特許文献２】特許公開２００１−１８０８７３号
【発明の開示】
【発明が解決しようとする課題】
【０００６】
ところで、上述した従来の洗浄ホース収納装置によると、洗浄ホースを略円筒形の回転ハウジングの内周面に密着させつつ巻回させて収納する構造であるため、回転ハウジング内から洗浄ホースを引き出す際、あるいは回転ハウジング内への収納の際に洗浄ホースが引き出しにくく、また互いに絡み易い難点があった。
【０００７】
この発明は、上述した事情に鑑み、洗浄ホースの引き出し及び収納が一層簡単な洗浄ホース収納装置を提供することを目的とする。
【課題を解決するための手段】
【０００８】
上述した課題を解決するため、この発明の洗浄ホース収納装置では、軸を中心に回動自在に支承されたリール枠からなり、該リール枠の中心部に形成された円筒部に洗浄ホースを巻回収納する洗浄ホース巻回手段と、前記リール枠を支承する前記軸に対し直交するように配設された回転軸を有し、該回転軸を中心に前記リール枠全体を回動させ前記洗浄ホースを回転させる回動手段と、前記リール枠内に配設され、該リール枠から引き出された前記洗浄ホースを当該リール枠内に巻き取る方向へ回転させる回転付勢手段と、前記リール枠に巻回された前記洗浄ホースを嵌挿し、該洗浄ホースを前記リール枠から引き出し及び引き戻し自在に支承するガイド孔からなる洗浄ホースガイド手段とを少なくとも具えていることを特徴としている。
【発明の効果】
【０００９】
上述した、この発明に係る洗浄ホース収納装置によると、洗浄ホースをリール枠を有する洗浄ホース巻回手段に巻回させるようにしたため、洗浄ホースの引き出し及び引き戻し作業が極めてスムーズに行われるとともに、その引き出し及び引き戻し操作の際に、洗浄ホースが互いに絡むことがなく、このため洗浄ホースの引き出し巻き戻し作業が一層スムーズとなり、特に力のない年長者や女性でもより一層簡単な操作で、洗浄のホース引き出し及び収納作業を行って、排水管の洗浄作業を行うことが出来る。  
【発明を実施するための最良の形態】
【００１０】
以下、この発明に係わる洗浄ホース収納装置の一実施例を詳述する。
【００１１】
図１はこの発明に係わる洗浄ホース収納装置１の平面図、図２は図１のＡＡ断面図、図３は図２のＢＢ断面図である。
【００１２】
この洗浄ホース収納装置（以下単に収納装置と言う）１は、装置１全体を支承する矩形状のパイプフレームからなる枠体２と、この枠体２の中央に配設され、軸３を中心に回動自在に支承されたリール枠４からなる洗浄ホース巻回手段５と、このリール枠４を支承する前記軸３と直交するように配設された回転軸６を中心に、前記リール枠４からなる洗浄ホース巻回手段５全体を前記枠体２内で回動させる回動手段７とから構成されている。なお、洗浄ホース１０は前記リール枠４の中心部に形成された円筒部４ａに予め巻回収容されている。
【００１３】
なお、前記枠体２の先端部に配設された第１の支持板２ａの中央部には、前記リール枠４の円筒部４ａに巻回された洗浄ホース１０を、当該円筒部４ａから引き出し及び引き戻し自在に支承するガイド孔１１からなる洗浄ホースガイド手段１２が配設されている。
【００１４】
このうち、洗浄ホース巻回手段５は、前述したように軸３を中心に回動自在に支承されたリール枠４から構成され、その中心部に形成された円筒部４ａには、所定の長さを有する可撓性の洗浄ホース１０が予め巻回収容されている。
【００１５】
なお、このリール枠４を構成する円筒部４ａの両側には巻回された前記洗浄ホース１０の脱落を防止する同一径の一対の円盤状の止め板４ｂが固着され、図１で示すように、その外周縁４ｃは、それぞれ円筒部４ａの中央部側へ向け折れ曲り、円筒部４ａに巻回された洗浄ホース１０をホースガイド手段１２のガイド孔１１内へスムーズに案内するように構成されている。
【００１６】
一方、この洗浄ホース１０には、その先端１０ａにノズル１４が固着され、そのノズル１４の周面には所定のピッチで噴射孔１３が穿設された周知の噴射ノズルが配設されている。さらにこのノズル１４の先端にはこも周知の自在ガイド１５が連結されている。なお、このノズル１４及びガイド１５の詳細構造は本願出願人が先に提出した特許公開２００１−１７０５９１号を参照されたい。
【００１７】
一方、上述した洗浄ホース１０の後端１０ｂは、リール枠４を構成する円筒部４ａの一端側から、その中央部に折れ曲って侵入し、円筒部４ａの中心部を貫通して配設され、高圧水を案内するガイドパイプ１６の先端１６ａと連結している。なお、このガイドパイプ１６は図示せぬ高圧ポンプから圧送された洗浄水を洗浄ホース１０を介してノズル１４へ案内するパイプである。
【００１８】
一方、前述したようにリール枠４を回動自在に支承する記軸３と直交する方向に配設された回転軸６を中心に、前記リール枠４からなる洗浄ホース巻回手段５全体を前記枠体２内で回動させる回動手段７は以下のような構造となっている。
【００１９】
この回動手段７は、図１に示すように断面Ｌ字形状のアーム２０であって、その先端２０ａで前記リール枠４を回動自在に支承する前記軸３を支承し、且つ後端２０ｂは前記軸３と直交するように配設された前記回動回転軸６を支承している。
【００２０】
一方、上述した回転軸６には、図２で示すように、従動ギャ２１が固着され、この従動ギャ２１には、駆動モータ２２の回転軸に固着された駆動ギャ２４が歯合している。
【００２１】
なお、上述した回転軸６及び駆動モータ２２は、枠体２の後方を補強する第２の支持板３０にそれぞれ支承されている。
【００２２】
従って、上述した回動手段７によると、図２に示す駆動モータ２２が駆動され、駆動ギャ２４が回転駆動すると、これに歯合する従動ギャ２１が同時に回転を開始し、これにより、第２の支持板３０に対し回動自在に支承された前記回転軸６が回転を開始する。
【００２３】
そして、回転転軸６がその回転を開始すると、これに固着されたＬ字形状のアーム２０が図３、図４で示すように、枠体２内で矢印Ｄのように回転し、リール枠４に巻回された洗浄ホース１０をその長手方向を軸として回転させることとなる。
【００２４】
なお、図１に示すように洗浄ホース１０の後端１０ｂに接続したガイドパイプ１６は前述したＬ字形のアーム２０に沿って延設され、さらに回転軸６内を通過し、その後端に配設され回転ジョイント３１に連結している。そして、この回転ジョイント３１に連結されたガイドパイプ１６は圧力計３２に連通し、さらに図示せぬ高圧ポンプに接続されている。
【００２５】
なお、図２で符号３４は回転軸６を第２の支持板３０に回動自在に支承する軸受けである。  
一方、図２に示すように、前記リール枠４の円筒部４ａ内には、当該リール枠４を洗浄ホース１０の巻き取り方向（図２の矢印Ｅ方向）へ回転付勢する巻き取りゼンマイバネからなる回転付勢手段３５が配設されている。
【００２６】
この巻き取りゼンマイからなる回転付勢手段３５によると、洗浄ホース１０がリール枠４から引き出されて使用された後、オペレータが洗浄ホースの把持を解除すれば、リール枠４は回転付勢手段３５の付勢力により洗浄ホース１０の巻き取り方向（図２の矢印Ｅ方向）へ回転し、これにより洗浄ホース１０を自動的にリール枠４の円筒部４ａに巻き取り収容することができることとなる。
【００２７】
次に、上述した洗浄ホース収納装置１の作用を説明し、併せて構成をより詳細に説明する。
【００２８】
図５で示すように、排水管４０内を洗浄する際には、図示せぬオペレータが洗浄ホースガイド手段１２のガイド孔１１から矢印Ｆで示すように洗浄ホース１０を引き出し、その先端に配設されたノズル１４を排水管４０内に挿入する。
【００２９】
その際、即ち洗浄ホース１０の引き出しの際、当該洗浄ホース１０はリール枠４の円筒部４ａに単に巻回されているだけであり、またリール枠４は軸３に回動自在に支承されているので、洗浄ホース１０による矢印Ｇ方向への僅かな引き出し力により当該リール枠４はスムーズに矢印Ｇ方向へ回転し、このため、洗浄ホース１０は互いに絡むことなく簡単かつスムーズにリール枠４から矢印Ｆ方向へ引き出されることとなる。
【００３０】
このように、洗浄ホース１０をリール枠４から引き出し、その先端１０ａに配設されたノズル１４を排水管４０内に挿入した後、図示せぬ高圧ポンプを作動させると、高圧となった洗浄水（矢印Ｈ）が回転ジョイント３１を介して洗浄ホース１０内に流入するとともに、回動手段７の駆動モータ２２が駆動すると、図３、図４で示すようにリール枠４が枠体２内で矢印Ｄのように回転し、これにより洗浄ホース１０がその長手方向を軸として回転を開始する。
【００３１】
このように、洗浄ホース１０内に高圧の洗浄液が圧送され、かつ洗浄ホース１０がその回転を開始すると、図５で示すように、ノズル１４が排水管４０の内周面に沿って螺旋状に旋回しつつ進行し、その間に噴射孔１３から噴射される高圧洗浄水Ｈによって、排水管４０内に付着した固形物等の汚れが剥離されて除去される。
【００３２】
一方、上述したノズル１４から噴射される高圧洗浄水（矢印Ｈ）による排水管４０の洗浄作業が終了した後、この洗浄ホース１０を収納する場合は、図６で示すように、リール枠４の回転を一旦停止させ、その後、オペレータによる洗浄ホース１０の把持を解除すると、洗浄ホース１０の巻き取り方向（図６の矢印Ｅ方向）へ回転付勢する巻き取りゼンマイバネからなる回転付勢手段３５によりリール枠４は矢印Ｅ方向へ回転し、これにより洗浄ホース１０は自動的にリール枠４の円筒部４ａに巻き取り収容され、図２の初期位置に復帰する。
【００３３】
なお、上記実施例では、図１で示すように、リール枠４を構成する円筒部４ａの両側に配設された一対の円盤状の止め板４ｂの各外周縁４ｃを、それぞれ円筒部４ａの中央部側へ向け折り曲げ、円筒部４ａに巻回された洗浄ホース１０をホースガイド手段１２のガイド孔１１へスムーズに案内するように構成したが、この発明は上述した実施例に限定されることなく、図１と同一部分を同一符号で示す図７で示すように、リール枠４を構成する円筒部４ａの両側に配設された一対の円盤状の止め板４ｂの各外周縁４ｃを、それぞれ円筒部４ａの外側へ向け折り曲げ形成するようにしても良い。
【００３４】
この場合、円筒部４ａに巻回された洗浄ホース１０をホースガイド手段１２のガイド孔１１へスムーズに案内するため、当該ガイド孔１１をリール枠４の幅方向に沿ってＬだけ伸張した長孔に形成する。
【００３５】
このように、ガイド孔１１をリール枠４の幅方向に沿った長孔とし、またリール枠４を構成する円筒部４ａの両側に配設された一対の円盤状の止め板４ｂの各外周縁４ｃを、それぞれ円筒部４ａの外側へ向け折り曲げ形成すると、洗浄ホース１０を長孔のガイド孔１１に沿うように移動させるように引き回して、洗浄ホース１０の取り回しの作業性を一層向上させるだけでなく、その際に、洗浄ホース１０をリール枠４からスムーズに引き出したり、またリール枠４へスムーズに引き戻すことが出来ることとなる。  
【産業上の利用可能性】
【００３６】
以上説明したように、この発明は、洗浄ホースの引き出し及び収納が一層簡単な洗浄ホース収納装置に適している。    
【図面の簡単な説明】
【００３７】
【図１】図１は本願発明に係る洗浄ホース収納装置の平面図。
【図２】図２は図１のＡＡ断面図。
【図３】図３は図２のＢＢ断面図。
【図４】図４はリール枠の作用を示す断面図。
【図５】図５はこの発明に係る洗浄ホース収納装置の作用を示す要部断面図。
【図６】図６はこの発明に係る洗浄ホース収納装置の作用を示す要部断面図。
【図７】図７はこの発明に係る洗浄ホース収納装置の他の実施例を示す平面図。
【符号の説明】
【００３８】
１…洗浄ホース収納装置
３…軸
４…リール枠
４ａ…円筒部
４ｂ…円盤状の止め板
４ｃ…止め板の外周縁
５…洗浄ホース巻回手段
６…回転軸
７…回動手段
１０…洗浄ホース
１１…ガイド孔
１２…洗浄ホースガイド手段
１３…噴射孔
１４…ノズル
１５…自在ガイド
２０…断面Ｌ字形状のアーム
２１…従動ギャ
２２…駆動モータ
２４…駆動ギャ
３５…回転付勢手段
【図１】
2007137564.tif 000003
【図２】
2007137564.tif 000004
【図３】
2007137564.tif 000005
【図４】
2007137564.tif 000006
【図５】
2007137564.tif 000007
【図６】
2007137564.tif 000008
【図７】
2007137564.tif 000009